(57)【要約】  本発明のパターは、前方を向く打球面と、ヒール部と、トウ部と、上面と、後部位置合わせ部とを有するパターヘッドを備える。後部位置合わせ部は、１本またはそれ以上の細長く均等な幅のインジケータバーを備え、インジケータバーは後方に突出すると共に、打球面に対して直交するように第１の段である上段に配設される。第２の段である下段には、対照的な色の細長い警告ストリップがインジケータバーと同数配設される。夫々の警告ストリップは対応する細長いインジケータバーとほぼ同じ幅を有し、該インジケータバーと垂直方向に整列して配設される。
2009526601.tif 000002
【特許請求の範囲】
【請求項１】
前方を向く平面状の打球面と、トウ部と、ヒール部と、上面と、後方に突出する細長いテール部とを備えるゴルフパター用パターヘッドであって、前記テール部が、
第１の段である上段に前記打球面と垂直方向に整列して配設された均等な幅および色を有する１本またはそれ以上の細長いインジケータバーと、
前記インジケータバーと対照的な色を有するインジケータバーと同数の細長い警告ストリップであって、夫々が対応するインジケータバーと同じ幅を有し、それぞれのインジケータバーと垂直方向に整列して第２の段である下段に配設されている警告ストリップと、
を備えることを特徴とするパターヘッド。
【請求項２】
前記下段に前記警告ストリップに隣接して配設された、前記インジケータバーと同じ色を有する均等な幅の１本またはそれ以上の細長いストリップをさらに備え、
前記インジケータバーと同じ色を有し、かつ前記インジケータバーと中心を合わせて配設されており、前記下段の警告ストリップと細長いストリップとを合わせた幅にほぼ等しい幅を有する矩形マークが前記上面に設けられていることを特徴とする請求項１に記載のパターヘッド。
【請求項３】
１本のインジケータバーが第１の段である上段に配設され、１本の警告ストリップが第２の段である下段の２本の隣接する細長いストリップの中間に配設されていることを特徴とする請求項２に記載のパターヘッド。
【請求項４】
２本のインジケータバーが第１の段である上段にその幅とほぼ等しい間隔をあけて配設されており、２本の警告ストリップが第２の段である下段に配設されており、１本の細長いストリップが前記２本の警告ストリップの中間に配設されていることを特徴とする請求項２に記載のパターヘッド。
【請求項５】
前記細長いストリップが断面形状の隆起している細長い部材の上面として表出し、前記警告ストリップが溝または凹帯の上面として表出することを特徴とする請求項３または４に記載のパターヘッド。
【請求項６】
前記テール部が、前方フレーム部分と、後方フレーム部分と、上部フレーム部分と、底部フレーム部分とを有する垂直に配向された窓部材を備え、前記細長いインジケータバーは前記窓部材の上部フレーム部分の上面として表出し、前記警告ストリップは前記窓部材の底部フレーム部分の上面として表出することを特徴とする請求項１に記載のパターヘッド。
【請求項７】
前記底部フレーム部分の上面が凹面である請求項６に記載のパターヘッド。
【請求項８】
ゴルフボールの幅よりやや小さい間隔を空けて平行に配設されている２つの窓部材を備える請求項６に記載のパターヘッド。
【発明の詳細な説明】
【技術分野】
【０００１】
本発明はゴルフクラブ、より詳細には、セットアップ時およびストロークそのものを行う際に可視的フィードバックを与える位置合わせ手段を備えたパターに関する。
【背景技術】
【０００２】
パターとは、ゴルフコースのグリーンと呼ばれる狭い区域で使用されるゴルフクラブである。グリーンのホールに向かって地面に沿ってボールを打つために使用されるのがパターであり、このゴルフショットは「パット」として知られる。
【０００３】
パットを正しく行うには２つの重要な局面が存在する。すなわち、正確にパットを打つためにプレイヤーに必要なことは（ａ）スタンスとセットアップを正しくとることと、（ｂ）ストロークを正しく行うことである。
【０００４】
パットを打つための正しいスタンスには次のことが含まれる。
【０００５】
１）プレイヤーの足と身体を照準線またはパッティングラインに対して、平行にする。この想像上の直線は、ホールの中心からボールの中心に向かって、平坦な水平面上に引いた線である。起伏のあるグリーン上では、この直線はホールの側部に向かって引かれる。
【０００６】
２）ストロークを行う前に、フェースが照準線またはパッティングラインに対してスクエア、すなわち垂直に向くようにして、パターをボールの後ろに位置決めすする。その後、パターの中心線を照準線またはパターラインと一致させる。パターの中心線は、パターの正面から後部に向かってパターを二等分して通る想像線である。
【０００７】
３）パターは、パターフェースの中心にボールが位置決めされるように、ボールの後方に置く必要がある。
【０００８】
４）プレイヤーがストロークを行う体勢（セットアップポジション）に入ったとき、プレイヤーの眼はパターの中心線と平行、かつその垂直に真上に置かねばならない（最適な高さはプレイヤーの身長やパッティングスタイルによって決まる）。
【０００９】
適正なスタンスが決まると、今度はストロークを行うのであるが、振り子式パターを使用する場合の正しい、あるいは最適なストロークは、「ストレートバック・ストレートスルー」（クラブヘッドを真直ぐ引いて真直ぐ出す）という動きである。ストロークを行う間、プレイヤーは頭を動かしてはいけない。
【００１０】
パッティングにはこのような面倒な性質があることから、位置合わせシステムを備えたパターに関して、パッティングの精度を上げるための工夫がいくつか成されて来た。このようなパターの例として、特許文献１〜４に記載のものがある。これらの特許は、プレイヤーが適正なスタンスを取るのを補助する位置合わせシステムの代表的なもので、プレイヤーがセットアップ中に自分の頭がパターの真上にあることを確認するのを助ける視覚手段を備えている。これらのパターを含む公知のパターは、プレイヤーがボールの真上に自身の位置を決めるのを助けるという点では多少の効果があるものの、ストローク中に適確な可視的フィードバックを与えるパターは皆無である。また、可視的フィードバックに対する利き目の効果について考慮しているものも無い。さらに、これらのパターの多くは、周辺視野で位置合わせのずれを検出できるようにするのに適したコントラストをもたない。そのため、プレイヤーは焦点をインジケータに向けて移動させて自分のセットアップの位置を確かめる必要がある。そのため、これらの重要な局面の両面においてプレイヤーを補助し、かつプレイヤーが自分の両眼を目標線の垂直面に沿ってクラブヘッドの上方で平行に置いてセットアップを取るのを補助するようなパターに対する需要が存在する。
【００１１】
【特許文献１】米国特許第５，７２０，６６８号明細書
【特許文献２】米国特許第６，２００，２２７号明細書
【特許文献３】米国特許第６，２６１，１９０号明細書
【特許文献４】米国特許第６，６６３，４９６号明細書
【発明の開示】
【課題を解決するための手段】
【００１２】
本発明の位置合わせシステムは、適正なセットアップを達成するための、周辺視野において検出可能な参照マークを提供すると共に、ストロークの最中にもユーザの周辺視野を介して可視的フィードバックを提供する。パターの参照マークは、ボールをパターヘッド正面の中心に正しく置いたときに、ユーザが自分の頭部をボールおよびクラブヘッドの中心の真上に位置決めするのを助け、またボールの中心をパターの打球面に位置決めするのを助けるものである。参照マークはさらに、プレイヤーがストローク中にパターの中心線を目標線またはパッティングラインと平行に保つのを助ける働きもする。
【００１３】
本発明のパターは、前方を向く平面状の打球面と、ヒール部と、トウ部と、上面と、後部位置合わせ部とを有するパターヘッドを備える。後部位置合わせ部は、均等な幅を有し後方に突出する１本またはそれ以上の細長いインジケータバーを備え、インジケータバーは第１の段である上段において打球面に対して直交するように配設されている。第２の段である下段には、インジケータバーと対比色を有するインジケータバーと同数の細長い警告ストリップが配設されており、各警告ストリップは対応する細長いインジケータバーとほぼ同じ幅を有し、該インジケータバーに対して垂直配列で配置されている。
【００１４】
ここでは、３種類の実施形態について説明する。
【００１５】
本発明の一態様によると、１本のインジケータバーが上段に配設され、１本の警告ストリップが下段に配設される。好適な実施形態では、警告ストリップはインジケータバーと同じ色を有する２本の細長いストリップの中間領域として形成される。従って、真上から見た時に、この中間領域はインジケータバーによって覆い隠されることになる。この好適な実施形態では、インジケータバーと同じ色を有しかつインジケータバーと中心を合わせた矩形マークがパターヘッドの上面に設けられている。このマークの幅は下段にある２本の細長いストリップの外縁と外縁の距離にほぼ等しくなっており、真上から見た時に、インジケータストリップが警告ストリップを覆い隠し、矩形マークとインジケータバーと２本の細長いストリップとが視覚的に組み合わさって中実の四角形を形成することとなる。別の構成方法として、インジケータバーを下段にある２本の細長いストリップよりやや長くして、インジケータバーの一部が前記四角形の後辺を越えて延びるようにしても良い。なお、自明のことながら、ユーザの頭部がパターの真上に位置合わせされていない場合、位置合わせずれによって警告ストリップが見えるようになると共に知覚される四角形がばらばらになるため、視覚的な警告が出現することになる。
【００１６】
第２の実施形態は本質的に第１の実施形態を反対にしたものであり、２本のインジケータバーを上段に、２本の警告ストリップを下段に備える。この実施形態では、下段の警告ストリップの間の領域がインジケータバーと同じ色を有する。２本のインジケータバー間の空間がスロットを形成し、上から見た時にこのスロットは警告ストリップ間の領域によって視覚的に埋められることになる。この実施形態では、パターの上面の矩形マークの幅が２本のインジケータバーの外縁と外縁の間の距離と同じになり、第１の実施形態と同様に、上から見た時に中実の四角形が視覚的に形成される。
【００１７】
第３の実施形態は、窓部材の上段に設けられた１本のインジケータバーと窓部材の下段に設けられた１本の警告ストリップを備える。警告ストリップは好ましくは凹面とするが、平坦面でも良い。この実施形態では、警告ストリップは、上から見た時にインジケータバーによって覆い隠されて、中実の四角形の印象を与える。しかし、位置合わせがずれると、警告ストリップが可視となる。凹湾曲面とした場合は、位置合わせずれの側が膨出して見えるようになる。平坦面とした場合は、警告ストリップの縁部が出現する。
【００１８】
いずれの実施形態においても、ユーザが正しく位置合わせを行った場合は、本発明の位置合わせシステムは１本の中実四角形状の位置合わせマークとして出現し、このときに警告色や空隙が現われることはない。これは、クラブヘッドを水平に置いた状態で、両眼のクラブヘッド上の位置が、ボールの中心と目標線を通る垂直面から垂直に真上の完全な位置にあることを示すものである。
【００１９】
ストロークの最中にも、パターのインジケータ経路によってより優れた可視的フィードバックが提供される。ユーザがパターを「ストレートバック・ストレートスルーに」（すなわちパッティング線または照準線に平行に）動かすことにより適正なパッティングを行った場合、中実のインジケータ経路が平行に出現することによって、ストローク中にクラブヘッドの動きに関して良好な可視的フィードバックが与えられる。これに対して、ストロークがパッティング線または照準線から逸脱した場合、ユーザは直ちに可視的フィードバックを与えられる。すなわち、ユーザの周辺視野によって、中実経路が崩壊して空隙が現われると共に警告色が出現するのが検出される。直線と平行関係からの逸脱に対する視覚の感受性は極めて高いため、ユーザは他の公知のパターを使用した場合に比較して、よりうまくパッティングストロークの誤差を検知することが可能となる。両眼をボールの正面から後方に延びる垂直面に沿って伸びる照準線と一直線にかつこれと平行に置いてその焦点がボール背部に位置しており、その焦点のすぐ後ろにインジケータ経路が位置している場合は、さらに検知精度が良くなる。インジケータが両眼の焦点（ボール後部）に近ければ近いほど、インジケータが正しく１本の中実経路となっている場合でも、経路が崩壊して空隙と警告色が見えている場合でも、インジケータの検出が容易になる。両眼の焦点が像に近ければ近いほど、周辺視野内の像の検出が容易になるというのは初歩的な視覚的事実である。
【発明を実施するための最良の形態】
【００２０】
本発明はパッティングの精度を向上させるのに役立つパター用位置合わせ手段を提供する。以下の説明は、右利きのプレイヤー向けに構成されたパターに関するものであり、ホーゼル（図示せず）は当業者によって適切な場所に設けられているが、本発明は言うまでもなくホーゼルを当業者によって別の場所に設けて左利きのプレイヤー用とすることもできる。
【００２１】
図１に示す好適な第１の実施形態は、前方を向く打球面１８と、トウ部２０と、ヒール部２１（シャフト取付用のホーゼルが１３で示す部分に設けられる）と、パターの上面に配置された矩形マーク１４とを備える。このパターはさらに、第１の段である上段に配置されたインジケータバー１１と第２の段である下段に平行に配置された２本の細長いストリップとを含む後部位置合わせ部２２を備える。これら３本は全て均等な幅を有し、打球面と垂直に位置合わせされて後方に突出している。細長いストリップ１２、１２は相互に間隔を空けて、細長い警告ストリップ１５を画定する中間領域を形成している。警告ストリップ１５はインジケータバー１１とほぼ同じ幅であると共に、インジケータバー１１と垂直に整列している。細長いストリップ１２はインジケータバー１１と同色であるのが好ましく、また警告ストリップ１５は対比色とするのが好ましい。図３Ａに示すように、矩形マーク１４の幅は細長いストリップ１２、１２の外縁と外縁の間の距離とほぼ同じである。矩形マーク１４とインジケータバー１１の中心を合わせることにより、真上から見たときに、マーク１４とインジケータバー１１と細長いストリップ１２とが組み合わさって視覚的に中実の四角形の像が形成される。図示のように、インジケータバー１１を細長いストリップ１２よりやや長くして、インジケータバー１１の一部が四角形を超えて伸びるようにしても良い。インジケータバー１１、細長いストリップ１２および警告ストリップ１５の幅は相互にほぼ等しく、２ｍｍ〜７ｍｍの間とし、視覚的な四角形の全幅が６ｍｍから２１ｍｍになるようにするのが好ましい。
【００２２】
図６に示す別の実施形態は、上段に平行に間隔を空けて並べられてスロット３１を形成している２本のインジケータバー３３と、下段に平行に間隔を空けて並べられた２本の警告ストリップ３２，３５とを備えている。警告ストリップ３２，３５は相互に間隔を空けて細長いストリップ３４を画定している。細長いストリップ３４はスロット３１とほぼ同じ幅を有している。第１の実施形態と同様、インジケータバー３３、警告ストリップ３２，３５および細長いストリップ３４の幅はすべてほぼ同じであり、インジケータバーと警告ストリップとは相互に垂直に整列している。図９Ａに示すように、矩形マーク１４の幅は、インジケータバー３３、３３の外縁と外縁の間の距離とほぼ等しい。
【００２３】
図２に示すように、インジケータバーと細長いストリップは断面が半円形または矩形を呈する細長い部材の上表面が表出したもの、警告ストリップは溝または凹帯（トラフ）の下面が表出したものとすることができる。
【００２４】
図３は第１の実施形態から本発明の動作を説明するものであり、クラブヘッドに対する眼の位置に応じて変わる３種類の視像をそれぞれ示している。図３Ａは両眼がクラブヘッド中心の上にある完全な位置、図３Ｂは両眼がクラブヘッド中心を正面から後方に延びる垂直面に対して内側にずれている場合の像、図３Ｃは両眼がクラブヘッド中心の垂直面から外側にずれた場合の像を示している。ＢとＣの両方において、位置合わせのずれを生じた場合に現れる２つの空隙と警告ストリップ１５が出現しているのが見える。
【００２５】
図４Ａは、第１の実施形態において両眼が適正に位置合わせされた場合を示した図である。図Ｂ１は位置合わせがやや内側にずれた場合の像、図Ｂ２は位置合わせのずれがさらに大きくなった場合の像を示している。図Ｂ１には２つの空隙１７と警告色１５が出現した状態が示されている。また、図Ｂ２には、図Ｂ１の位置合わせがややずれた状態から内側の空隙１７がさらに大きくなり、全体的な像がより崩れた状態が示されている。像の変形は位置合わせずれが大きくなるに従って大きくなるもので、この変形の増大により周辺視野および視野において位置合わせのずれを検出する可能性が大きくなることから、本システムは既存の位置合わせシステムに比べてより高感度のものとなっている。
【００２６】
図５Ａは第１の実施形態において両眼が適正に位置合わせされた場合を示した図である。図５Ｂは両眼がクラブヘッド中心を正面から後方に延びる垂直面に対して外側にずれている場合の像を示している。この場合に生じる像の変形は図４と同じであるが反対になっている。
【００２７】
図７は第２の実施形態の背面断面図であり、インジケータバーと細長いストリップが矩形の断面を有する細長い本体部の上面として表出し、警告ストリップが溝または凹帯の下面として表出する構成を示している。ここに示した断面形状は説明上の例に過ぎず、他の断面形状も可能である。
【００２８】
図８は、第２の実施形態のクラブヘッドに対する両眼の位置を変えた場合の各視像を示す図である。図８Ａは両眼がクラブヘッドの中心面の完全に上方にある場合の像を示している。図Ｂ１は両眼がクラブヘッドの中心面からやや内側にずれて、右側の警告ストリップ３２が見えている状態を示している。下側の細長いストリップ３４は上左側のインジケータバー３３の下に隠れている。図Ｃｌは両眼がクラブヘッドの中心面からやや外側にずれて、左側の警告ストリップ３５が見えている状態を示している。下側の細長いストリップ３４は上右側のインジケータバー３３の下に隠れている。
【００２９】
図９は、図８の図Ｂ１および図Ｃ１の状態からさらに位置合わせずれが大きくなった状態を示している。図Ｂ２は下側の細長いストリップ３４が内側に露呈され、警告ストリップ３２が上左側のインジケータバー３３の下に隠れ始めた状態を示している。警告ストリップ３２の外側縁部３６は露呈されている。図Ｃ２は下側の細長いストリップ３４が外側に露呈され、警告ストリップ３２は上右側のインジケータバー３３の下に隠れ始めている状態を示している。下左側の警告ストリップ３５の外側縁部３７は露呈されている。図Ｂ２および図Ｃ２のいずれの場合でも、空隙１７の出現が位置合わせずれを検出する視覚的手がかりとなる。
【００３０】
図１０は、本発明による位置合わせシステムの第３の実施形態を示している。ここに示される「窓部」という解決法では、前方フレーム部分４５と、後方フレーム部分４８と、底部フレーム部分４７と、インジケータバー４２と窓開口部４３とを画定する上部フレーム部分４１とを含む窓部材の下部に警告ストリップ４４を備えている。警告ストリップ４４は底部４７の凹面であり、インジケータバー４２と同じ幅である。本実施形態は単独で使用しても良いが、このような窓部を２つ、ゴルフボールの幅よりやや小さい間隔を空けてパターの位置合わせ部分に設けても良い。
【００３１】
図１１の図Ｂｌは、中心面の内側にやや位置合わせがずれて、警告ストリップ４４が直ちに出現した状態を示している。図Ｂ２のようにさらに位置合わせずれが大きくなると、警告ストリップ４４がさらに大きく出現する。垂直面の反対側まで位置合わせずれが大きくなると、同じ側に警告色が出現する。警告ストリップ４４が湾曲面であることから、位置合わせずれはインジケータバー４２の側に膨出して見えることになる。
【００３２】
［位置合わせシステムの製造方法］
位置合わせ用インジケータは、好ましくは鋼やアルミニウムなどの適正な材料を圧延または鋳造して作成することができる。また、プラスチックやポリカーボネート材料から別個の部品として製造することもできる。こうすると、システムが非常に軽量となり、クラブヘッドの装飾的なデザインの周辺に重量が拡散することで、慣性モーメント（ＭＯＩ）が大きくなって許容性（ボールをクラブフェースの中心を外して打った時に生じるねじれに対する抵抗性）が大きくなる。別個の部品とした位置合わせ手段は、クラブヘッドの装飾的なデザインの上の位置合わせ手段用の空隙がある個所に、クラブヘッドの前方から後方に延びる中心線に沿って中心を合わせて接着によってクラブヘッドに組み付けることができる。
【００３３】
位置合わせ用インジケータ部品は、ゴルフ用具に関する規則に従って、該部品を組み付けたクラブヘッドが規則に適合するものとなるように組み付けられる。
【図面の簡単な説明】
【００３４】
【図１】本発明の第１の実施形態による位置合わせシステムのインジケータおよびパターの前方部分をやや斜めから見た図である。
【図２】第１の実施形態による位置合わせシステムの各部、すなわちインジケータ各部の２種類の構成方法を示す背面図である。
【図３】第１の実施形態によるシステムのクラブヘッドが（Ａ）完全に位置合わせされた状態、（Ｂ）両眼が内側にある状態、（Ｃ）両眼が外側にある状態をそれぞれ示す図である。
【図４】クラブヘッドに対する様々な眼の位置を示す上面断面図であり、（Ａ）は完全に位置合わせされた状態、（Ｂｌ）、（Ｂ２）は位置合わせのずれが大きくなって行く状態を示している。
【図５】図４と同様の図であるが、反対、すなわち両眼がパターの外側にずれて行く状態を示している。
【図６】本発明の第２の実施形態による位置合わせシステムをやや斜めから見た図である。
【図７】第２の実施形態によるシステムを背面側から見た図である。
【図８】第２の実施形態による位置合わせシステムの上面断面図であり、（Ａ）は位置合わせされた状態、（Ｂ１）は両眼がパターヘッドの内側にややずれ、（Ｃ１）は外側にややずれた状態を示す。
【図９】図８と同様のパターヘッドの上面図であるが、それぞれ位置合わせのずれが大きくなった状態を示す。
【図１０】本発明の第３の実施形態による位置合わせシステムの要部をやや斜めから見た図であり、正面から背面に延びる中心壁を壁の「窓部」も含めて示す。
【図１１】第３の実施形態を上から見た断面図であり、中心壁とその位置合わせの特徴を示す。（Ａ）は正しい位置合わせを示す。（Ｂ１）は位置合わせがずれて警告色を含む窓部の底部の内側が見え始めた状態、（Ｂ２）は位置合わせのずれがさらに大きくなった状態を示し、いずれも両眼がパターの内側にある状態である。
【符号の説明】
【００３５】
１１、３３、４２    インジケータバー
１２、３４    ストリップ
１４    矩形マーク
１５、３２、３５、４４    警告ストリップ
１７    空隙
１８    打球面
２０    トウ部
２１    ヒール部
３１    スロット
【図１】
2009526601.tif 000003
【図２】
2009526601.tif 000004
【図３】
2009526601.tif 000005
【図４】
2009526601.tif 000006
【図５】
2009526601.tif 000007
【図６】
2009526601.tif 000008
【図７】
2009526601.tif 000009
【図８】
2009526601.tif 000010
【図９】
2009526601.tif 000011
【図１０】
2009526601.tif 000012
【図１１】
2009526601.tif 000013
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
前方を向く平面状打球面と、トウ部と、ヒール部と、上面と、後方に突出するテール部とを備えるゴルフパター用パターヘッドであって、前記テール部が、
第１の段である上段に前記打球面と垂直方向に整列して配設された均等な幅および色を有する１本またはそれ以上の細長いインジケータバーと、
前記インジケータバーと対照的な色を有するインジケータバーと同数の細長い警告ストリップであって、夫々が対応するインジケータバーと同じ幅を有し、それぞれのインジケータバーと垂直方向に整列して第２の段である下段に配設されている警告ストリップとを備えるパターヘッドにおいて、
前記インジケータバーと同じ色を有する均等な幅の１本またはそれ以上の細長いストリップが前記下段に前記警告ストリップに隣接して配設されており、前記上面に、前記インジケータバーと同じ色を有し、かつ前記インジケータバーと中心を合わせて配設された矩形マークが設けられており、前記矩形マークは前記下段の警告ストリップと細長いストリップとを合わせた幅にほぼ等しい幅を有することを特徴とするパターヘッド。
【請求項２】
１本のインジケータバーが前記第１の段である上段に配設されており、１本の警告ストリップが前記第２の段である下段の隣接する２本の細長いストリップの中間に配設されていることを特徴とする請求項１に記載のパターヘッド。
【請求項３】
２本のインジケータバーが前記第１の段である上段に、該インジケータバーの幅とほぼ等しい間隔を空けて配設されており、２本の警告ストリップが前記第２の段である下段に配設され、前記２本の警告ストリップの中間に１本の細長いストリップが配設されていることを特徴とする請求項１に記載のパターヘッド。
【請求項４】
前記細長いストリップが断面形状の隆起している細長い部材の上面として表出し、前記警告ストリップが溝または凹帯の上面として表出することを特徴とする請求項２または３に記載のパターヘッド。
【請求項５】
前方を向く平面状打球面と、トウ部と、ヒール部と、上面と、後方に突出するテール部とを備えるゴルフパター用パターヘッドであって、前記テール部が、
前方フレーム部分と、後方フレーム部分と、上部フレーム部分と、底部フレーム部分とを有して垂直に配向された少なくとも１つの窓部材を備え、前記窓部材の上部フレーム部分の上面は、ユーザの両眼が前記上部および底部フレーム部分と垂直に整列した時に、前記窓部材の前記底部フレーム部分の上面を覆い隠すように配設されていることを特徴とするパターヘッド。
【請求項６】
前記底部フレーム部分の上面が凹面である請求項５に記載のパターヘッド。
【請求項７】
ゴルフボールの幅よりやや小さい間隔を空けて平行に配設されている２つの窓部材を備える請求項５に記載のパターヘッド。
【国際調査報告】
2009526601.tif 000014
2009526601.tif 000015
2009526601.tif 000016